(57)【特許請求の範囲】
【請求項１】
互いに対向する一対の側方パネルと、
前記一対の側方パネル間を渡って前記一対の側方パネルの上側に配置される上側梁部材と、
前記一対の側方パネル間を渡って前記一対の側方パネルの下側に配置される下側梁部材と、
前記上側梁部材にねじ止めされる前方パネルと、
前記前方パネル又は前記下側梁部材の一方に設けられる凸部と、
前記前方パネル又は前記下側梁部材の他方に設けられ、前記凸部を挿通可能とされるスリット孔と、
前記凸部に形成される貫通孔と、
前記凸部の前記貫通孔に抜き差し可能で差し込まれる方向から抜けず、前記スリット孔に挿通される前記凸部が前記スリット孔から抜けることを止める止め具と
を備え、
前記凸部の前記貫通孔に差し込まれる前記止め具は、前記前方パネルが前後方向へ傾倒する状態で所定方向へ動くことによって前記貫通孔から抜けない方向へ力が加わるように支持される
ことを特徴とする配管カバー。
【請求項２】
前記凸部の前記貫通孔に差し込まれる前記止め具は、前記前方パネルが前後方向へ動く場合に前記貫通孔から抜けない方向へ押されるように支持される
ことを特徴とする請求項１に記載の配管カバー。
【請求項３】
前記凸部は前記下側梁部材に設けられ、
前記スリット孔は前記前方パネルに設けられ、
前記凸部の前記貫通孔に差し込まれる前記止め具は、前記前方パネルの外表面側から内表面側へ前記前方パネルが動く場合にその前方パネルによって前記貫通孔から抜けない方向へ押されるように支持される
ことを特徴とする請求項２に記載の配管カバー。
【請求項４】
前記凸部は前記前方パネルに設けられ、
前記スリット孔は前記下側梁部材に設けられ、
前記凸部の前記貫通孔に差し込まれる前記止め具は、前記前方パネルの内表面側から外表面側へ前記前方パネルが動く場合に前記下側梁部材によって前記貫通孔から抜けない方向へ押されるように支持される
ことを特徴とする請求項２に記載の配管カバー。
【請求項５】
前記止め具はスナップピンであり、前記凸部の前記貫通孔に差し込まれる前記スナップピンは、前記スリット孔から前記凸部が抜けようとする一定以上の力が働いたときに前記貫通孔に差し込まれる差込部の先端とその差込部に対向する差込対向部の先端とが近づく方向へ曲がるように支持される
ことを特徴とする請求項１〜請求項４いずれか１項に記載の配管カバー。
【発明の詳細な説明】
【技術分野】
【０００１】
本発明は配管カバーに関し、給湯器に連結される配管をカバーする場合に好適なものである。
【背景技術】
【０００２】
給湯器は一般的には屋外の外壁等に取り付けられ、当該給湯器の底部には給水管及び給湯管などの各種の配管が連結される。これら配管が給湯器の外部に露出した状態となる場合、給湯器本体の筺体とは別体の配管カバーで配管が覆われることがある。このような配管カバーとして、例えば特許文献１が提案されている。
【０００３】
特許文献１の配管カバーは、給湯器本体の両側壁下端に装着される両側片と、それら両側片の下端に固定される底壁と、当該底壁に対して蝶番によって開閉自在に連結された開閉蓋とを有する。
【０００４】
この配管カバーは、両側片の内壁間をわたるように両側片の上部に固定される取付け板に開閉蓋を当接し、その開閉蓋の挿通孔にねじを挿通して取付け板のねじ穴に螺合することで配管を覆い隠すようになっている。
【先行技術文献】
【特許文献】
【０００５】
【特許文献１】特開平９−４９２８号公報
【発明の概要】
【発明が解決しようとする課題】
【０００６】
ところが、上記特許文献１における配管カバーの開閉蓋はねじで固定されているため、風などに起因する開閉蓋の振動によって意図せずねじが外れてしまう場合があり、この場合には不必要に配管が露出されてしまう。
【０００７】
また、開閉蓋が配管カバーから物理的に取り外すことができないと、配管の点検時などにおいて開閉蓋が邪魔になる場合があり、当該開閉蓋を配管カバーから物理的に取り外すべき要請がある。
【０００８】
上記特許文献１における配管カバーの開閉蓋と底壁とを連結する蝶番を省略した場合には配管カバーから物理的に開閉蓋を取り外すことができるようになるが、この場合に意図せずねじが外れると開閉蓋が落下するため事故等の危険性や紛失する可能性が危惧される。
【０００９】
そこで本発明は、配管カバーの一部を取り外し可能としながらも意図せず外れることを抑制し得る配管カバーを提案することを目的とする。
【課題を解決するための手段】
【００１０】
かかる課題を解決するため本発明の配管カバーは、互いに対向する一対の側方パネルと、前記一対の側方パネル間を渡って前記一対の側方パネルの上側に配置される上側梁部材と、前記一対の側方パネル間を渡って前記一対の側方パネルの下側に配置される下側梁部材と、前記上側梁部材にねじ止めされる前方パネルと、前記前方パネル又は前記下側梁部材の一方に設けられる凸部と、前記前方パネル又は前記下側梁部材の他方に設けられ、前記凸部を挿通可能とされるスリット孔と、前記凸部に形成される貫通孔と、前記凸部の前記貫通孔に抜き差し可能とされ、前記スリット孔に挿通される前記凸部が前記スリット孔から抜けることを止める止め具とを備え、前記凸部の前記貫通孔に差し込まれる前記止め具は、前記前方パネルが所定方向へ動く場合に前記貫通孔から抜けない方向へ力が加わるように支持されることを特徴とする。
【発明の効果】
【００１１】
このような配管カバーでは、スリット孔に挿通される凸部の貫通孔に止め具を差し込むことによって前方パネルの下部が下側梁部材に取り付けられ、当該前方パネルの上部がねじ止めによって上側梁部材に取り付けられる。したがって、ユーザは、前方パネルの上側のねじを外しその前方パネルの下側の止め具を引き抜くことで、配管カバーの前方パネルを意図的に取り外すことができる。
また、凸部の貫通孔に差し込まれる止め具は、前方パネルが所定方向へ動く場合に貫通孔から抜けない方向へ力が加わるように支持される。したがって配管カバーは、仮に前方パネルの上側のねじが振動により外れた場合であっても、前方パネルの下側の取り付け状態を保持することができ、当該前方パネルが意図せず外れることを抑制できる。
こうして、配管カバーの一部を取り外し可能としながらも意図せず外れることを抑制し得る配管カバーが実現される。
【図面の簡単な説明】
【００１２】
【図１】第１実施形態の配管カバーを示す図である。
【図２】カバー本体を示す図である。
【図３】スナップピンを示す図である。
【図４】前方パネルを内面側から示す図である。
【図５】前方パネルのスリット孔に下側梁部材の凸部が挿通された様子を示す図である。
【図６】スナップピンが差し込まれた様子を示す図である。
【図７】カバー本体の長手方向に沿った配管カバーの一部の断面を示す図である。
【図８】前方パネルの上側がカバー本体から外れた場合の様子を示す図である。
【図９】スナップピンが曲がった様子を示す図である。
【図１０】スナップピンが図６とは異なる状態で差し込まれた様子を示す図である。
【図１１】第２実施形態の前方パネルを示す図である。
【図１２】第２実施形態のカバー本体を示す図である。
【図１３】配管カバーの一部の断面を図７と同じ視点で示す図である。
【図１４】前方パネルがカバー本体に対して傾いている様子を示す図である。
【図１５】図１４とは異なる傾き角で前方パネルがカバー本体に対して傾いている様子を示す図である。
【発明を実施するための形態】
【００１３】
以下、本発明における実施形態について図面を用いながら詳細に説明する。
【００１４】
（１）第１実施形態
図１に示すように、本実施形態の配管カバー１は、カバー本体２と、当該カバー本体２に対して着脱可能な前方パネル３とを主な構成要素として備える。
【００１５】
図２に示すように、カバー本体２は、側方パネル１０、上側梁部材２０、下側梁部材３０、下側枠部材４０、おねじ５０及びスナップピン６０を有し、例えば金属により形成される。
【００１６】
側方パネル１０は、互いに対向するように配置される。この側方パネル１０は板状とされ、当該側方パネル１０の上部には給湯器の所定部位に対して側方パネル１０を固定するねじ又はボルト等を挿通する貫通孔１１が形成される。
【００１７】
上側梁部材２０は、一対の側方パネル１０間を渡って一対の側方パネル１０の上側に配置される。この上側梁部材２０の長手方向へ沿った側端部には、側方パネル１０の内壁に当接される接合用プレート２１が上側梁部材２０と一体に形成される。この接合用プレート２１と側方パネル１０とが固定されることで一対の側方パネル１０間に上側梁部材２０が取り付けられる。なお、図２に例示する上側梁部材２０は板状とされ、当該上側梁部材２０の長手方向へ沿って屈曲されて断面がＬ字状とされる。この屈曲部分の内面は上側とされる。
【００１８】
本実施形態の上側梁部材２０には、前方パネル３のパネル面が当接される一対の支持片２２が所定間隔をあけて設けられる。これら支持片２２には、支持片２２に当接される前方パネル３のパネル面に対して直交する方向へ、当該前方パネル３をねじ止めするためのめねじ２３が形成される。
【００１９】
下側梁部材３０は、一対の側方パネル１０間を渡って一対の側方パネル１０の下側に配置される。この下側梁部材３０の長手方向へ沿った側端部には、側方パネル１０の内壁に当接される接合用プレート３１が下側梁部材３０と一体に形成される。この接合用プレート３１と側方パネル１０とが固定されることで一対の側方パネル１０間に下側梁部材３０が取り付けられる。なお、図２に例示する下側梁部材３０は板状とされ、当該下側梁部材３０における一方の広面が側方パネル１０の前側側面と同一面となるように配置される。
【００２０】
本実施形態の下側梁部材３０には、当該下側梁部材３０の上端部から鉛直方向へ向かって突出する一対の凸部３２が所定間隔をあけて設けられる。これら凸部３２には、上側梁部材２０の支持片２２に当接される前方パネル３のパネル面に対して直交する方向へ貫通孔３３が穿設される。また、凸部３２の先端において貫通孔３３の鉛直方向上にあたる部位には溝３４が形成される。この溝３４は、下方に向かうほど溝幅が狭くなる楔状とされ、スナップピン６０の一部を嵌め込み可能とされる。
【００２１】
下側枠部材４０は、一対の側方パネル１０の後方側の下端部を囲むように側方パネル１０に取り付けられる。
【００２２】
おねじ５０は、差込部５１及び把持部５２からなる。差込部５１は、支持片２２に形成されるめねじ２３に抜き差し可能とされる棒状の部分であり、当該差込部５１の外周面にはめねじのねじ溝に対応するねじ溝が形成される。把持部５２は、差込部５１をめねじ２３に抜き差しする際に把持する部分であり、例えば円柱状とされる。この把持部５２の外周面には滑り止め用の凹凸が形成される。
【００２３】
スナップピン６０は線材でなり、当該スナップピン６０の断面形状は例えば円形状とされる。図３に示すように、このスナップピン６０は、差込部６１、湾曲部６２及び差込対向部６３からなる。差込部６１は、下側梁部材３０の凸部３２に穿設される貫通孔３３に抜き差し可能とされる直線状の部分である。湾曲部６２は、差込部６１の開放端とは逆側の端を始端として湾曲する部分である。差込対向部６３は、差込部６１に同一面上で対向する部分である。この差込対向部６３は、湾曲部６２の終端から差込部６１の開放端に向かって蛇行するように延在しており、差込部６１に接する一対の当接部位ＰＴ１とそれら当接部位に挟まれる挟持部位ＰＴ２とを有する。
【００２４】
図４に示すように、前方パネル３は、前パネル本体７０、枠プレート８０及びフランジ９０を有し、例えば金属により形成される。前パネル本体７０は平板とされ、当該前パネル本体７０の上部にはおねじ５０を挿通する貫通孔７１が形成される。
【００２５】
枠プレート８０は、前パネル本体７０において内側とされる面の上端に配置される上枠プレート８１と、当該面の左右端に配置される一対の側枠プレート８２と、当該面の下端に配置される下枠プレート８３とからなる。これら枠プレート８１〜８３は、それぞれ、前パネル本体７０において内側とされる面に対して直交する方向へ延在する。
【００２６】
フランジ９０はＬ状とされ、下枠プレート８３の端部から前パネル本体７０のパネル面に対して直交する方向へ延在する第１フランジ部９１と、当該第１フランジ部９１の端部から前パネル本体７０のパネル面に対して平行となる下側に延在する第２フランジ部９２とからなる。
【００２７】
このフランジ９０における第１フランジ部９１と第２フランジ部９２との境界である屈曲部分には、一対のスリット孔９３が所定間隔をあけて穿設される。これらスリット孔９３は、下側梁部材３０の対応する凸部３２を挿通可能とされる。また、一対のスリット孔９３は、第１フランジ部９１と第２フランジ部９２との双方にわたって穿設される。このため、一対のスリット孔９３に下側梁部材３０の対応する凸部３２が挿通された状態において、当該凸部３２を移動支点として、前パネル本体７０のパネル面が上側梁部材２０の支持片２２に当接された閉位置と、当該閉位置のパネル面に対して９０度以上の所定角度となる開位置との間を前方パネル３が移動可能とされる。
【００２８】
このような構成要素を備える配管カバー１のカバー本体２と前方パネル３とは次のようにして取り付けられる。まず、図５に示すように、前方パネル３の下端部（フランジ９０）に設けられるスリット孔９３に下側梁部材３０の対応する凸部３２が挿通され、当該下側梁部材３０の上端部に前方パネル３の下端部（フランジ９０）が置かれる。
【００２９】
続いて、図６に示すように、下側梁部材３０の凸部３２に穿設される貫通孔３３に対して、前方パネル３における前パネル本体７０の内面が対向される側からスナップピン６０の差込部６１が差し込まれる。そして、スナップピン６０における差込部６１と差込対向部６３の挟持部位ＰＴ２との間に凸部３２の一部が挟み入れられる。これによりスナップピン６０は、貫通孔３３から差込部６１が抜けないように保持し、前方パネル３の下部が下側梁部材３０に取り付けられる。
【００３０】
さらに、差込対向部６３の挟持部位ＰＴ２の一部が凸部３２の溝３４に嵌め込まれる。これによりスナップピン６０の差込対向部６３は、下側梁部材３０における凸部３２の貫通孔３３に差し込まれた差込部６１と鉛直方向へおいて重なる状態となり、この状態でスナップピン６０が支持される。
【００３１】
続いて、図１に示したように、前方パネル３における前パネル本体７０のパネル面が上側梁部材２０の支持片２２に当接される位置にまで、下側梁部材３０の凸部３２を移動支点として前方パネル３が移動される。そして、下側梁部材３０の支持片２２に形成されためねじ２３に、前方パネル３の前パネル本体７０に穿設される貫通孔７１を介しておねじ５０が螺合される。これにより前方パネル３の上部が上側梁部材２０に取り付けられる。
【００３２】
このようにして前方パネル３がカバー本体２に取り付けられた状態では、スナップピン６０は、下側梁部材３０の凸部３２に穿設される貫通孔３３に他の部材が介在することなく直接的に差し込まれている。このため、支持片２２との間に前方パネル３が介在するおねじ５０とは異なり、スナップピン６０には前方パネル３の振動が直接的に伝達されない。したがって、本実施形態の配管カバー１は、風などに起因する前方パネル３の振動よって意図せずスナップピン６０が抜けてしまうことを低減することができる。
【００３３】
また、図７に示すように、上側梁部材２０における支持片２２に接する状態でねじ止めされた前パネル本体７０の内面と、その内面に対向する側から下側梁部材３０の凸部３２に差し込まれたスナップピン６０の湾曲部６２との隙間Ｇ１が僅かとされる。このため、凸部３２に穿設される貫通孔３３に対して前方パネル３の外表面側から内表面側に向かって差し込まれるスナップピン６０が抜けることが前方パネル３によって抑制される。
【００３４】
なお、上述の隙間Ｇ１は小さいほど好ましく、上側梁部材２０における支持片２２に接する状態でねじ止めされた前パネル本体７０の内面と、その内面に対向する側から下側梁部材３０の凸部３２に差し込まれたスナップピン６０の湾曲部６２とが接していても良い。また、前パネル本体７０の内面に突出部を設け、その突出部とスナップピン６０の湾曲部６２とが僅かな隙間となる或いは接するようにしても良い。
【００３５】
図８に示すように、前方パネル３が風等により振動することでおねじ５０がめねじ２３から外れる場合がある。この場合、下側梁部材３０の凸部３２を移動支点として、前方パネル３が前後方向へ動く。具体的には、前方パネル３の外表面側から内表面側に向かう方向（側方パネル１０に近づく方向）Ｄ１と、当該前方パネル３の内表面側から外表面側に向かう方向（側方パネル１０から離間する方向）Ｄ２とに前方パネル３が動く。また、前方パネル３の内表面側から外表面側に向かう方向Ｄ１へ前方パネル３が動く場合、その前方パネル３によってスナップピン６０は下側梁部材３０の凸部３２に差し込まれる方向Ｄ３から押される。
【００３６】
すなわち、凸部３２の貫通孔３３に差し込まれるスナップピン６０は、上側梁部材２０に対するねじ止めが外れて前方パネル３が前後方向へ動く場合に貫通孔３３から抜けない方向へ押されるように支持される。具体的には、前方パネル３が外表面側から内表面側へ動く場合にその前方パネル３によって貫通孔３３から抜けない方向へスナップピン６０が支持される。
【００３７】
したがって、前方パネル３の上側のおねじ５０が外れた場合であっても、凸部３２に穿設される貫通孔３３に対して前方パネル３が対向される側から差し込まれるスナップピン６０が抜けることが前方パネル３によって抑制される。この結果、本実施形態の配管カバー１では、前方パネル３の上側のおねじ５０が外れても前方パネル３の下側の取り付け状態が保持される。
【００３８】
ところで、おねじ５０がめねじ２３から外れて前方パネル３がスナップピン６０のみによって取り付けられている場合、当該前方パネル３が風にあおられる等によりスリット孔９３から凸部３２が抜けようとしてスナップピン６０が強い力を受けることがある。
【００３９】
このようなときに、スナップピン６０の差込対向部６３が下側梁部材３０における凸部３２の溝３４に嵌め込まれていないと、当該凸部３２の貫通孔３３に差し込まれた差込部６１を軸として回転するようにスナップピン６０が動いてしまう。スナップピン６０の差込対向部６３が差込部６１の鉛直上に位置していないときに、スナップピン６０が比較的大きな力を前方パネル３から受けた場合、図９に示すように、差込部６１の先端と差込対向部６３の先端とが離間する方向へスナップピン６０の一部が曲がってしまうことがある。この場合、スナップピン６０の差込部６１が貫通孔３３から抜け易くなり、前方パネル３が意図せず外れてしまう。
【００４０】
本実施形態の場合、凸部３２において貫通孔３３の鉛直上の先端に形成される溝３４によって、当該凸部３２の貫通孔３３に差し込まれた差込部６１と鉛直方向へおいて重なる状態で差込対向部６３が支持される。この場合、スナップピン６０が比較的大きな力を前方パネル３から受けて、差込部６１の先端と差込対向部６３の先端とが近づく方向へスナップピン６０の一部が曲がることはあっても、当該先端同士が離間する方向へ曲がることは抑制される。すなわち、凸部３２貫通孔３３に差し込まれるスナップピン６０は、スリット孔９３から凸部３２が抜けようとする一定以上の力が働いたときに貫通孔３３に差し込まれる差込部６１の先端とその差込部６１に対向する差込対向部６３の先端とが近づく方向へ曲がるように支持される。
【００４１】
したがって、本実施形態の配管カバー１は、前方パネル３の上側のおねじ５０が外れてその前方パネル３から比較的強い力をスナップピン６０が受けても、前方パネル３の下側の取り付け状態を保持することができる。
【００４２】
なお、図１０に示すように、スナップピン６０における蛇行部分となる差込対向部６３が凸部３２の貫通孔３３に差し込まれる場合がある。この場合、スナップピン６０は、前方パネル３の対向される側から差込対向部６３を貫通孔３３に差し込んでいても、前方パネル３から比較的強い力を受けると、図９に示したように、差込部６１と差込対向部６３とが離間するように曲がる傾向にある。これに対し本実施形態の場合、上述したように、スナップピン６０における直線部分となる差込部６１が前方パネル３の対向される側から貫通孔３３に差し込まれている。このため、スナップピン６０は、前方パネル３から比較的強い力を受けても、差込部６１と差込対向部６３とが近づくように曲がる。
【００４３】
このように本実施形態では、スナップピン６０における直線部分となる差込部６１が前方パネル３の対向される側から貫通孔３３に差し込まれていることで、当該スナップピン６０が貫通孔３３から抜け難く支持される。
【００４４】
（２）第２実施形態
次に、第２実施形態について説明する。なお、第１実施形態と同一又は同等の構成要素については特に説明する場合を除き同一の参照符号を付し、また重複する説明については省略する。
【００４５】
本実施形態の配管カバーでは、上述の凸部３２とスリット孔９３との設置部位が上記第１実施形態と相違する。
【００４６】
すなわち、凸部３２は、第１実施形態では下側梁部材３０の上端部に設けられていたが、本実施形態では前方パネル３の下端部に設けられる。具体的には、図１１に示すように、本実施形態における前方パネル３の下端部では第２フランジ部９２及びスリット孔９３が省略され、第１フランジ部９１に所定間隔をあけて一対の凸部３２が設けられる。これら凸部３２は、第１フランジ部９１の先端から前方パネル３における前パネル本体７０のパネル面と平行な状態でその前パネル本体７０の下方に向かって突出している。
【００４７】
一方、スリット孔９３は、第１実施形態では前方パネル３の下端部に設けられていたが、本実施形態では下側梁部材３０の上端部に設けられる。具体的には、図１２に示すように、本実施形態における下側梁部材３０の上端部では凸部３２が省略され、当該下側梁部材３０にはフランジ３５が設けられる。このフランジ３５は、下側梁部材３０の上端からその下側梁部材３０の前側に向かって水平に延在しており、当該フランジ３５に対して鉛直方向へ貫通するスリット孔９３が形成される。
【００４８】
また、本実施形態の配管カバーでは、第１実施形態のスナップピン６０に代えて、図１１に示すようにおねじ１０１が適用される。このおねじ１０１は、上述のおねじ５０と同じ構造とされる。さらに、第１実施形態の凸部３２に穿設される貫通孔３３に代えてめねじ１０２が凸部３２に穿設され、第１実施形態の凸部３２に形成されていた溝３４が省略される。このめねじ１０２は、上述のめねじ２３と同じ構造とされる。
【００４９】
このような本実施形態のカバー本体２と前方パネル３とは次のようにして取り付けられる。すなわち、図１３に示すように、下側梁部材３０の上端部（フランジ３５）に設けられるスリット孔９３に前方パネル３の下端部に設けられる対応する凸部３２が挿通され、当該下側梁部材３０の上端部に前方パネル３の下端部（第１フランジ部９１）が置かれる。
【００５０】
続いて、前方パネル３の凸部３２に穿設されるめねじ１０２に対して、当該前方パネル３の内側から外側に向かう方向へ沿っておねじ１０１が差し込まれる。そして、前方パネル３における前パネル本体７０のパネル面が上側梁部材２０の支持片２２に当接され、当該支持片２２に形成されためねじ２３に前パネル本体７０の貫通孔７１を介しておねじ５０が螺合される。
【００５１】
このようにして前方パネル３がカバー本体２に取り付けられる。ここで、図１４に示すように、前方パネル３における上部のおねじ５０が外れると、前方パネル３の凸部３２を移動支点として、前方パネル３が前後方向へ動く。具体的には、前方パネル３の外表面側から内表面側に向かう方向（側方パネル１０に近づく方向）Ｄ１０と、当該前方パネル３の内表面側から外表面側に向かう方向（側方パネル１０から離間する方向）Ｄ２０とに前方パネル３が動く。
【００５２】
また、前パネル本体７０のパネル面が上側梁部材２０の支持片２２に当接される閉位置から前方パネル３が所定角度だけ傾いた場合、めねじ１０２に差し込まれているおねじ１０１は下側梁部材３０によってそのめねじ１０２に差し込まれる方向Ｄ３０から押される。
【００５３】
また、図１５に示すように、おねじ１０１がめねじ１０２から抜けかかっている場合がある。この場合、めねじ１０２から抜けかかっていない場合に比べて小さい角度だけ前方パネル３が傾いたとき、おねじ１０１は下側梁部材３０によってめねじ１０２に差し込まれる方向Ｄ３０から押されることとなる。
【００５４】
すなわち、凸部３２のめねじ１０２に差し込まれるおねじ１０１は、前方パネル３が前後方向へ動く場合に貫通孔３３から抜けない方向へ押されるように支持される。具体的には、おねじ１０１は、前方パネル３が後側から前側へ動く場合に下側梁部材３０によって貫通孔３３から抜けない方向へ押されるように支持される。
【００５５】
したがって、前方パネル３の上側のおねじ５０が外れた場合であっても、凸部３２に穿設されるめねじ１０２に対して前方パネル３の外側から内側に向かって差し込まれるおねじ１０１が抜けることが下側梁部材３０によって抑制される。この結果、本実施形態の配管カバーは、上記第１実施形態の場合と同様に、前方パネル３の上側のおねじ５０が外れても前方パネル３の下側の取り付け状態を保持することができる。
【００５６】
上記実施形態が例として説明されたが、本発明は上記実施形態に限定されるものではなく、適宜変更することが可能である。
【００５７】
例えば、凸部３２の貫通孔３３に抜き差し可能とされ、スリット孔９３に挿通される凸部３２がスリット孔９３から抜けることを止める止め具として、上記第１実施形態ではスナップピン６０が適用され、上記第２実施形態ではおねじ１０１が適用された。しかしながら、上記第１実施形態のスナップピン６０に代えて、第２実施形態のおねじ１０１が適用されても良い。第１実施形態のスナップピン６０におねじ１０１を適用する場合、下側梁部材３０に設けられる凸部３２の貫通孔３３の内周面に対して、おねじ１０１に対応するねじ溝を形成して上記第２実施形態と同様のめねじ１０２とすれば良い。また、上記第２実施形態のおねじ１０１に代えて、第１実施形態のスナップピン６０が適用されても良い。第２実施形態のおねじ１０１にスナップピン６０を適用する場合、第１フランジ部９１に設けられる凸部３２のめねじ１０２のねじ溝を省略して上記第１実施形態と同様の貫通孔３３とすれば良い。要するに、前方パネル３の下側を止める止め具としては、凸部３２の貫通孔３３に抜き差し可能とされ、スリット孔９３に挿通される凸部３２がスリット孔９３から抜けることを止めるものであれば良い。
【００５８】
上記実施形態では、前方パネル３の又は下側梁部材３０の一方に設けられる凸部３２が一対とされ、当該前方パネル３又は下側梁部材３０の他方に設けられるスリット孔９３が一対とされた。しかしながら、凸部３２とスリット孔９３との一方又は双方の数が１つとされても良く、３つ以上とされても良い。
【００５９】
なお、前方パネル３又は下側梁部材３０の一方に凸部３２が設けられるとともに他方にスリット孔９３が設けられ、かつ、スリット孔９３が凸部３２を挿通可能とされるのであれば、当該前方パネル３の及び下側梁部材３０の構造は種々の構造を適用することができる。ただし、凸部３２の貫通孔３３に差し込まれる止め具は、前方パネル３が所定方向へ動く場合に貫通孔３３から抜けない方向へ力が加わるように支持されることを要する。
【００６０】
また、配管カバー１の各構成要素は、上記実施形態若しくは変形例に示された内容以外に限定されない。すなわち、上側梁部材２０に対するねじ止めが緩むあるいは外れることで前方パネル３が所定方向へ動く場合に貫通孔３３から抜けない方向へ力が加わるように凸部３２の貫通孔３３に差し込まれる止め具が支持される条件を満たしているのであれば、適宜、配管カバー１の各構成要素は省略、変更、周知技術の付加などできる。
【産業上の利用可能性】
【００６１】
本発明は、家庭用又は業務用の給湯器を扱う分野などにおいて利用可能性がある。
【符号の説明】
【００６２】
１……配管カバー
２……カバー本体
３……前方パネル
１０……側方パネル
１１……貫通孔
２０……上側梁部材
２１……接合用プレート
２２……支持片
２３……めねじ
３０……下側梁部材
３１……接合用プレート
３２……凸部
３３……貫通孔
３４……溝
３５……フランジ
４０……下側枠部材
５０……おねじ
５１……差込部
５２……把持部
６０……スナップピン
６１……差込部
６２……湾曲部
６３……差込対向部
７０……前パネル本体
７１……貫通孔
８０……枠プレート
９０……フランジ
９１……第１フランジ部
９２……第２フランジ部
９３……スリット孔
１０１……おねじ
１０２……めねじ
【図１】
0006511236.tif 000002
【図２】
0006511236.tif 000003
【図３】
0006511236.tif 000004
【図４】
0006511236.tif 000005
【図５】
0006511236.tif 000006
【図６】
0006511236.tif 000007
【図７】
0006511236.tif 000008
【図８】
0006511236.tif 000009
【図９】
0006511236.tif 000010
【図１０】
0006511236.tif 000011
【図１１】
0006511236.tif 000012
【図１２】
0006511236.tif 000013
【図１３】
0006511236.tif 000014
【図１４】
0006511236.tif 000015
【図１５】
0006511236.tif 000016